(57)【要約】【課題】圧縮機室部前板の取り付けが容易な空気調和機の室外ユニットを提供する。【解決手段】圧縮機（図示せず）を内蔵した圧縮機室（図示せず）を有する外箱（図示せず）は、天面に配された天板（図示せず）と、吹き出し口（図示せず）を設けた吹き出し口部前板１２と、圧縮機室の前部を覆う圧縮機室部前板１３と、側面部を覆う右側板１６から構成され、圧縮機室部前板１３の両側端部に略Ｌ字状の係止爪２０を複数設け、吹き出し口部前板１２および右側板１６の端部に係止爪２０に係合する係合穴２１をそれぞれ複数設け、吹き出し口部前板１２と右側板１６の端部に凸部２２を設け、圧縮機室部前板１３の両側端部に、圧縮機室部前板１３を最終取り付け位置までスライドさせた時に、凸部２２に係合する保持部２３を設けたもので、圧縮機室部前板１３が、凸部２２と保持部２３で仮固定され、下方にずれ落ちることが無く、一人で容易に取り付け作業ができる。【選択図】図２
2005265375.tif 000002
【特許請求の範囲】
【請求項１】
圧縮機を内蔵した圧縮機室と送風機を有する外箱を備え、前記外箱は、天面に配された天板と、前記送風機の風を吹き出す吹き出し口を設けた吹き出し口部前板と、前記圧縮機室の前部を覆う圧縮機室部前板と、側面部を覆う側板から構成され、前記圧縮機室部前板の両側端部に略Ｌ字状の係止爪を複数設け、前記吹き出し口部前板および前記側板の端部に前記係止爪に係合する係合穴をそれぞれ複数設け、前記吹き出し口部前板と側板の端部に、凸部または保持部のいずれか一方を設け、他方を前記圧縮機室部前板の両側端部に設けると共に、前記圧縮機室部前板を前記吹き出し口部前板と前記側板との最終取り付け位置にスライドさせた時に、前記凸部が前記保持部に係合するようにしたことを特徴とする空気調和機の室外ユニット。
【請求項２】
凸部を係合穴の近傍に設たことを特徴とする請求項１記載の空気調和機の室外ユニット。
【請求項３】
保持部を凹状に形成したことを特徴とする請求項１又は２記載の空気調和機の室外ユニット。
【請求項４】
凸部をビード状に形成したことを特徴とする請求項１〜３のいずれか１項記載の空気調和機の室外ユニット。
【請求項５】
係止爪の下端部に係合穴の下端が嵌り込む切り欠きを設けたことを特徴とする請求項１〜４のいずれか１項に記載の空気調和機の室外ユニット。
【発明の詳細な説明】
【技術分野】
【０００１】
本発明は空気調和機の室外ユニットに関するもので、特に室外ユニットの外郭を形成する外箱構成に関するものである。
【背景技術】
【０００２】
大能力タイプのルームエアコンの室外ユニットやパッケージエアコンの室外ユニットでは、室外ユニットの横連続設置対応により一般のルームエアコンでは外装部から突出している配管接続部がユニット内部に収納されているので、設置時の配管接続作業、冷媒追加充填作業また設置状態に応じて室外ユニット制御基板に設けられた種々の設定スイッチの操作を行うには圧縮機室また圧縮機室の上部に設けられ制御基板を収納する電装部品室とを覆う圧縮機室部前板を外して作業を行うことが必要となっている。そのため圧縮機室部前板は、数本のネジを緩めることで簡単に取り外せる構成となっている。
【０００３】
以下に、従来の空気調和機の室外ユニットの外箱の構成を図７〜９を用いて説明する。
【０００４】
図７において、室外ユニット９０の外箱９０ａは、ユニットベース１００、天面部を覆う天板１０１、前面部を覆い送風機（図示せず）の吹き出し口１０２ａを設けた吹き出し口部前板１０２、圧縮機１０６を内蔵する圧縮機室１０６ａと制御基板（図示せず）を収納する電装部品室１０４とを覆う断面略Ｌ字状の圧縮機室部前板１０３、右側面を覆う側板１０５ａ、１０５ｂから構成されている。圧縮機室部前板１０３は、前面側１０３ａと右側面側１０３ｂとで形成され、さらに圧縮機室部前板１０３の上端及び下端はそれぞれネジ１０３ｄで天板１０１とユニットベース１００に締結されている。
【０００５】
図８は、図７における圧縮機室部前板１０３の右側面側１０３ｂのＤ部と側板１０５ｂのＥ部を拡大した詳細図である。
【０００６】
図８に示すように、圧縮機室部前板１０３の右側面側１０３ｂ及び左側端部１０３ｃの各鉛直部には略Ｌ字状の係止爪１１０が、またこの係止爪１１０に対応して、吹き出し口部前板１０２および側板１０５ｂの鉛直端部に角形状の係合穴１１１がそれぞれ複数個設けられている。
【０００７】
室外ユニット９０を横方向に連続設置する場合に、圧縮機室部前板１０３が室外ユニット９０の手前方向に外せるようするために係止爪１１０は両端側ともに室外ユニット９０の奥行き方向に突出して形成されており、対応する係合穴１１１は係止爪１１０に直交するように開口している。
【０００８】
以上のように、圧縮機室部前板１０３は、圧縮機室部前板１０３の右側面側１０３ｂ、左側端部１０３ｃに設けられた複数個の係止爪１１０と係合穴１１１との係合作用で取りつけられた後、上方にスライドされ、さらに上端、下端をそれぞれ１本のネジ１０３ｄで締結するだけで吹き出し口部前板１０２、側板１０５ａ、１０５ｂに固着できるため、多くのネジを使用する必要がなく、組立時の作業工数を低減できると共にネジ本数が少ないので見栄えもよい（例えば、特許文献１、２参照）。
【０００９】
図９は、他の従来の空気調和機の室外ユニットを示すもので、図７に示された室外ユニットとほぼ同様の外箱構成となっているが、図９に示されるように、圧縮機室部前板の部分と右側の側板部分とが一体に形成され、しかも右側の側板は１枚で形成され合わせ目が省略されている（例えば、特許文献３参照）。
【特許文献１】特開平６−１２３４４６号公報
【特許文献２】実開平５−６９５３５号公報
【特許文献３】特開平９−１９３９８９号公報
【発明の開示】
【発明が解決しようとする課題】
【００１０】
しかしながら上記従来の空気調和機の室外ユニットの外箱構成では、製造現場における圧縮機室部前板１０３の組立作業時や、設置時に圧縮機室部前板１０３を開けての作業、例えば室外ユニット９０と室内ユニット（図示せず）をつなぐ際の冷媒配管接続、冷媒の追加充填や電線接続などを終了して圧縮機室部前板１０３を再度室外ユニット９０に取り付ける際に以下のような課題があった。
【００１１】
圧縮機室部前板１０３を室外ユニット９０に取り付ける際は、側板１０５ａ、１０５ｂ及び吹出し口部前板１０２に設けた複数の係合穴１１１に圧縮機室部前板１０３の右側面側１０３ｂ及び左側端部１０３ｃに設けた複数の係止爪１１０を挿入した後、圧縮機室部前板１０３を上方にスライドさせ上端、下端をネジ１０３ｄで締結するが、圧縮機室部前板１０３は金属性でしかも大きな表面積を持ち、そのため重量も重くなることから自重により下方へ下がろうとする力が働くためネジ穴がずれてしまう。
【００１２】
そのため、作業者はネジ穴がずれないように圧縮機室部前板１０３を押さえていなければならず、取付け作業が非常に困難であった。
【００１３】
このため、製造現場や大規模設置工事など多人数で作業をしている場合には、一人が圧縮機室部前板１０３を押さえ、もう一人がネジを締結しなければならなかった。又、一人で設置作業する場合、あるいは、一人で作業を行なうことが多いサービス時などでは、圧縮機室部前板１０３の再取り付けが極めて困難で、また多くの時間を費やし、さらに注意不足の場合には、係止爪１１０と係合穴１１１が外れてしまい、圧縮機室部前板１０３が室外ユニット９０より落下しキズ付きや変形の原因となっていた。
【００１４】
本発明は、上記従来の課題を解決するもので、安価な構成で、見栄えを悪くすることもなく、一人で確実に、しかも簡単に圧縮機室部前板の取り付けができる空気調和機の室外ユニットを提供することを目的とするものである。
【課題を解決するための手段】
【００１５】
上記従来の課題を解決するために、本発明の空気調和機の室外ユニットは、圧縮機を内蔵した圧縮機室と送風機を有する外箱を備え、前記外箱は、天面に配された天板と、前記送風機の風を吹き出す吹き出し口を設けた吹き出し口部前板と、前記圧縮機室の前部を覆う圧縮機室部前板と、側面部を覆う側板から構成され、前記圧縮機室部前板の両側端部に略Ｌ字状の係止爪を複数設け、前記吹き出し口部前板および前記側板の端部に前記係止爪に係合する係合穴をそれぞれ複数設け、前記吹き出し口部前板と側板の端部に、凸部または保持部のいずれか一方を設け、他方を前記圧縮機室部前板の両側端部に設けると共に、前記圧縮機室部前板を前記吹き出し口部前板と前記側板との最終取り付け位置にスライドさせた時に、前記凸部が前記保持部に係合するようにしたもので、前記圧縮機室部前板を、前記吹出し口部前板及び前記側板に取り付ける際、前記圧縮機室部前板の両側端部に設けた係止爪を前記吹出し口部前板及び前記側板の端部に設けた係合穴に挿入し、前記圧縮機室部前板を上方の最終取り付け位置までスライドさせると、前記吹出し口部前板と側板の端部または、前記圧縮機室部前板の両側端部に設けた凸部が、他側に設けた保持部に係合して保持されるため、前記圧縮機室部前板は下方へずれることがなく一人で確実に、しかも容易に前記圧縮機室部前板を前記吹出し口部前板及び前記側板にネジ等で取り付けることができる。
【発明の効果】
【００１６】
本発明の空気調和機の室外ユニットは、安価な構成で、見栄えを悪くすることもなく、一人で確実に、しかも簡単に圧縮機室部前板の取り付けができるので、作業効率が非常に良いものである。
【発明を実施するための最良の形態】
【００１７】
第１の発明は、圧縮機を内蔵した圧縮機室と送風機を有する外箱を備え、前記外箱は、天面に配された天板と、前記送風機の風を吹き出す吹き出し口を設けた吹き出し口部前板と、前記圧縮機室の前部を覆う圧縮機室部前板と、側面部を覆う側板から構成され、前記圧縮機室部前板の両側端部に略Ｌ字状の係止爪を複数設け、前記吹き出し口部前板および前記側板の端部に前記係止爪に係合する係合穴をそれぞれ複数設け、前記吹き出し口部前板と側板の端部に、凸部または保持部のいずれか一方を設け、他方を前記圧縮機室部前板の両側端部に設けると共に、前記圧縮機室部前板を前記吹き出し口部前板と前記側板との最終取り付け位置にスライドさせた時に、前記凸部が前記保持部に係合するようにしたもので、前記圧縮機室部前板を、前記吹出し口部前板及び前記側板に取り付ける際、前記圧縮機室部前板の両側端部に設けた係止爪を前記吹出し口部前板及び前記側板の端部に設けた係合穴に挿入し、前記圧縮機室部前板を上方の最終取り付け位置までスライドさせると、前記吹出し口部前板と側板の端部または、前記圧縮機室部前板の両側端部に設けた凸部が、他側に設けた保持部に係合して保持されるため、前記圧縮機室部前板は下方へずれることがなく一人で確実に、しかも容易に前記圧縮機室部前板を前記吹出し口部前板及び前記側板にネジ等で取り付けることができる。
【００１８】
第２の発明は、特に、第１の発明の凸部を係合穴の近傍に設けたもので、例えば吹出し口部前板及び側板が組立て作業バラツキ等で反圧縮機室部前板側にずれていた場合や、圧縮機室部前板が成形する際のバラツキにより小さめに成形されていた場合でも、前記圧縮機室部前板は係止爪により係合穴にて正規の位置へ案内されるため、吹出し口部前板、圧縮機室部前板及び側板に設けた凸部と保持部との間で隙間ができることがなく、確実に圧縮機室部前板は保持されるため、前記圧縮機室部前板は下方へずれることがなく一人で確実に、しかも容易に前記圧縮機室部前板を取り付けることができる。
【００１９】
第３の発明は、特に、第１又は第２の発明の保持部を凹状に形成したもので、保持部の強度が向上し確実に圧縮機室部前板が保持されるため、取り付け作業中に容易に前記圧縮機室部前板が下方へずれることがなく一人で確実に、しかも容易に前記圧縮機室部前板を取り付けることができる。
【００２０】
第４の発明は、特に、第１〜３のいずれか１つの発明の凸部をビード状に形成したもので、凸部と保持部間の保持強度が格段に向上するとともに、係合穴及び係止爪の強度も向上することから、圧縮機室部前板の取り付け時に手荒く扱われた場合でも係合穴及び係止爪が変形することがなく、確実に圧縮機室部前板は保持されるため、前記圧縮機室部前板は下方へずれることがなく一人で確実に、しかも容易に前記圧縮機室部前板を取り付けることができる。
【００２１】
第５の発明は、特に、第１〜４のいずれか１つの発明の係止爪の下端部に係合穴の下端が嵌り込む切り欠きを設けたもので、圧縮機室部前板の取付け、取外し作業中に一時的に持ち場を離れる際、前記係合穴の下端部に前記係止爪の切欠き部を嵌め込むことにより、圧縮機室部前板の仮置きができるため、後の作業性が大幅に向上する。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における空気調和機の室外ユニットの外箱構成を示す分解斜視図で、図２（ａ）は、同室外ユニットの圧縮機室部前板の取りつけ部の構成を示す横部分断面図（吹き出し口前板側）、図２（ｂ）は、同取りつけ部の構成を示す横部分断面図（側板側）、図２（ｃ）は、同取りつけ部の構成を示す部分正面図である。
【００２４】
図において、室外ユニット１の外箱１ａは、底部を形成するユニットベース１０、天面部を覆う天板１１、前面部を覆うとともに内蔵された送風機（図示せず）による風を吹き出す吹き出し口１２ａを有する吹き出し口部前板１２、圧縮機（図示せず）を内蔵する圧縮機室１４や制御基板（図示せず）を収納する電装部品室１５を覆う圧縮機室部前板１３、右側面を覆う側板となる右側板１６から構成されている。
【００２５】
圧縮機室部前板１３は、前面に位置する前面部１３ａと、右側部１３ｂとで断面略Ｌ字状に形成されている。
【００２６】
図２において、圧縮機室部前板１３の左端部１３ｃと右側部１３ｂの端部のそれぞれに、後方に突出した略Ｌ字状の係止爪２０が３個設けられ、吹き出し口部前板１２および右側板１６のそれぞれの鉛直端部の前記係止爪２０に対応する位置に角形状の係合穴２１が設けられている。
【００２７】
吹出し口部前板１２と右側板１６の圧縮機室部前板１３と相対する鉛直端部には、圧縮機室部前板１３側に突出する凸部２２が設けられ、圧縮機室部前板１３の吹出し口部前板１２と右側板１６と相対する鉛直端部には、圧縮機室部前板１３を上方の最終取り付け位置までスライドしたときに凸部２２が嵌まり込む保持部２３が設けられている。
【００２８】
圧縮機室部前板１３の室外ユニット１への取り付けは、圧縮機室部前板１３の係止爪２０を吹出し口部前板１２と右側板１６の係合穴２１に挿入する。その後圧縮機室部前板１３を上方の最終取り付け位置までスライドさせると、凸部２２が保持部２３に嵌まり込むことから、圧縮機室部前板１３が保持されるので下方にずれないように押さえておく必要がなく、ネジ２で圧縮機室部前板１３の上端、下端を天板１１及び、ユニットベース１０にそれぞれネジ止めすることで、圧縮機室部前板１３の取り付けは完了する。
【００２９】
以上のように、本実施の形態によれば、一人でも簡単に、しかも確実に圧縮機室部前板１３を取り付けることができるものである。
【００３０】
なお、上記実施の形態では、吹出し口部前板１２と右側板１６に凸部２２を設け、圧縮機室部前板１３に保持部２３を設けたが、吹出し口部前板１２と右側板１６に保持部２３を設け、圧縮機室部前板１３に凸部２２を設けても同様の効果が得られる事は、言うまでも無い。
【００３１】
（実施の形態２）
図３、４、５は、本発明の第２の実施の形態における空気調和機の室外ユニットの要部斜視図である。なお、上記実施の形態と同一部分については同一符号を付してその説明を省略する。
【００３２】
本実施の形態は、圧縮機室部前板１３の右側部１３ｂ、左端部１３ｃのそれぞれに係止爪２０を従来と同じく室外ユニット１の奥行き方向（挿入方向）に突出して形成する。一方吹き出し口部前板１２と右側板１６に設けた係合穴２１の幅寸法を、図３に示すように係止爪２０の厚みより大きく形成し、上端を係止爪２０の上方へのスライドに合わせて圧
縮機室部前板１３が所定の位置に収まるように傾斜して形成している。また、吹出し口部前板１２と右側板１６の圧縮機室部前板１３と相対する鉛直端部の係合穴２１近傍には、圧縮機室部前板１３側に突出する凸部２２が設けられ、圧縮機室部前板１３の吹出し口部前板１２と右側板１６との相対する鉛直端部には、圧縮機室部前板１３を上方の最終取り付け位置までスライドしたときに凸部２２が嵌まり込む保持部２３が貫通穴状に設けられている。
【００３３】
上記構成における圧縮機室部前板１３の室外ユニット１本体への取り付け方法は以下の通りである。
【００３４】
圧縮機室部前板１３の係止爪２０を吹出し口部前板１２と右側板１６の係合穴２１に挿入する。その後圧縮機室部前板１３を上方にスライドさせることにより、吹出し口部前板１２及び右側板１６が組立て作業バラツキ等で反圧縮機室部前板側にずれていた場合や、圧縮機室部前板１３が成形する際のバラツキにより小さめに成形されていた場合でも、圧縮機室部前板１３は係止爪２０により係合穴２１にて正規の位置へ案内されるため、吹出し口部前板１２と圧縮機室部前板１３間及び右側板１６と圧縮機室部前板１３間の凸部２２と保持部２３との間に隙間ができることがなく、確実に凸部２２が保持部２３に嵌まり込むことから、圧縮機室部前板１３が保持されるので下方にずれないように押さえておく必要がなく、ネジ２で圧縮機室部前板１３の上端、下端を天板１１及び、ユニットベース１０にそれぞれネジ止めして、圧縮機室部前板１３の取り付けは完了する。
【００３５】
このように、本実施の形態においても、一人で、確実に圧縮機室部前板１３を取り付けることができる。
【００３６】
また、上記実施の形態では、凸部２２が嵌まり込む保持部２３を貫通穴状に形成したが、図４に示すように保持部２３の形状を凸部２２を覆う凹状に形成することで、保持部２３の強度が向上し確実に圧縮機室部前板１３を保持することができる。
【００３７】
また、上記実施の形態では、凸部２２を球状に突出させて形成したが、図５に示すようにビード状に突出させて形成し、保持部２３も同様にビード状に形成することで、凸部２２と保持部２３との間の保持強度が格段に向上するとともに、係合穴２１及び係止爪２０の強度も向上することから、圧縮機室部前板１３の取り付け時に手荒く扱われた場合でも係合穴２１及び係止爪２０が変形することがなく、確実に圧縮機室部前板１３を保持することができる。
【００３８】
（実施の形態３）
図６は、本発明の第３の実施の形態における空気調和機の室外ユニットの要部斜視図である。なお、上記実施の形態と同一部分については同一符号を付してその説明を省略する。
【００３９】
本実施の形態は、図６に示すように、圧縮機室部前板１３に形成した係止爪２０の下端部に、係合穴２１の下端が嵌り込む切欠き２４を設けたもので、圧縮機室部前板１３の取付け取外し作業中に一時的に持ち場を離れる等の際は、係合穴２１の下端部に係止爪２０の切欠き２４を嵌め込むことにより、圧縮機室部前板１３の仮置きができるため取り付け作業再開時の作業性が著しく向上する。
【産業上の利用可能性】
【００４０】
以上のように、本発明に係る空気調和機の室外ユニットは、安価な構成で、見栄えを悪くすることもなく、一人で確実に、しかも簡単に圧縮機室部前板の取り付けができるので、作業効率が非常に良く、設置時、サービス時に着脱を要する板金製の扉、蓋などを有す
る各種機器、装置にも適用できるものである。
【図面の簡単な説明】
【００４１】
【図１】本発明の実施の形態１における空気調和機の室外ユニットの展開斜視図
【図２】（ａ）同室外ユニットの圧縮機室部前板の部分断面図（吹出し口部前板側）、（ｂ）同室外ユニットの圧縮機室部前板の部分断面図（右側板側）、（ｃ）同室外ユニットの圧縮機室部前板の取付部を示す部分正面図
【図３】本発明の実施の形態２における空気調和機の室外ユニットの要部斜視図
【図４】他の例を示す空気調和機の室外ユニットの要部斜視図
【図５】さらに他の例を示す空気調和機の室外ユニットの要部斜視図
【図６】本発明の実施の形態３における空気調和機の室外ユニットの要部斜視図
【図７】従来の空気調和機の室外ユニットの展開斜視図
【図８】（ａ）図７のＤ、Ｅ部の横断面図、（ｂ）同Ｄ、Ｅ部の正面図
【図９】従来の他の例を示す空気調和機の室外ユニットの斜視図
【符号の説明】
【００４２】
１  室外ユニット
１ａ  外箱
１１  天板
１２  吹出し口部前板
１３  圧縮機室部前板
１４  圧縮機室
１６  右側板（側板）
２０  係止爪
２１  係合穴
２２  凸部
２３  保持部
２４  切欠き
【図１】
2005265375.tif 000003
【図２】
2005265375.tif 000004
【図３】
2005265375.tif 000005
【図４】
2005265375.tif 000006
【図５】
2005265375.tif 000007
【図６】
2005265375.tif 000008
【図７】
2005265375.tif 000009
【図８】
2005265375.tif 000010
【図９】
2005265375.tif 000011